【手続補正書】
【提出日】平成29年1月10日(2017.1.10)
【手続補正１】
【補正対象書類名】明細書
【補正対象項目名】００７７
【補正方法】変更
【補正の内容】
【００７７】
【表２】
2016511298.tif 000001
本願明細書に記載の主な発明につき列記する。
［１］
少なくとも１つのソーラーセルと、少なくとも１つの配線部材とを含んでなるソーラーセルモジュールであって、
（ｉ）前記少なくとも１つのソーラーセルが、少なくとも１つの表面電極を有し、かつ前記少なくとも１つの配線部材が、導電性接着剤を介して、前記少なくとも１つの表面電極に接続され；
（ｉｉ）前記導電性接着剤が、エラストマーマトリックスと、接着剤組成物に含まれる全成分の重量％が合計１００重量％となるように前記エラストマーマトリックスに分散された４０〜９０重量％の導電性粒子と、を含んでなる接着剤組成物から形成され；かつ
（ｉｉｉ）前記エラストマーマトリックスが、少なくとも１種のフルオロエラストマーを含んでなる、ソーラーセルモジュール。
［２］
前記エラストマーマトリックスが、架橋剤によって架橋される少なくとも１種のフッ化ビニリデン含有フルオロエラストマーを含んでなる、［１］に記載のソーラーセルモジュール。
［３］
前記架橋剤が、ビスフェノール化合物、ジアミノ化合物、アミノフェノール化合物、アミノシロキサン化合物、アミノシラン、フェノールシラン、ペルオキシドおよびそれらの２種以上の組み合わせからなる群から選択される、［２］に記載のソーラーセルモジュール。
［４］
前記少なくとも１種のフッ化ビニリデン含有フルオロエラストマーが、フッ化ビニリデン／ヘキサフルオロプロピレンコポリマーである、［２］に記載のソーラーセルモジュール。
［５］
前記エラストマーマトリックスが前記少なくとも１種のフルオロエラストマーから本質的になる、［１］に記載のソーラーセルモジュール。
［６］
前記エラストマーマトリックスが、前記少なくとも１種のフルオロエラストマーと、少なくとも１種のエチレン／アルキル（メタ）アクリレートコポリマーエラストマーと、を含んでなり、前記少なくとも１種のフルオロエラストマーが、前記エラストマーマトリックスの全重量に基づき、６５重量％以上の濃度で存在する、［１］に記載のソーラーセルモジュール。
［７］
前記少なくとも１種のエチレン／アルキル（メタ）アクリレートコポリマーエラストマーが、エチレンの重合単位と、前記エチレン／アルキル（メタ）アクリレートコポリマーエラストマーの全重量に基づき、４０〜９０重量％、または好ましくは５０〜８０重量％、またはより好ましくは５０〜７５重量％の少なくとも１種のアルキル（メタ）アクリレートの重合単位と、を含んでなる、［６］に記載のソーラーセルモジュール。
［８］
前記少なくとも１種のエチレン／アルキル（メタ）アクリレートコポリマーエラストマーが、エチレン／メチルアクリレートコポリマー、エチレン／エチルアクリレートコポリマー、エチレン／ブチルアクリレートコポリマーからなる群から選択される、［６］に記載のソーラーセルモジュール。
［９］
前記導電性粒子が金属粒子および非金属粒子から選択される、［１］〜［８］のいずれか一項に記載のソーラーセルモジュール。
［１０］
前記導電性粒子が金属粒子であるか、または好ましくは、前記導電性粒子が、Ａｕ、Ａｇ、Ｎｉ、Ｃｕ、Ａｌ、Ｓｎ、Ｚｎ、Ｔｉ、Ｓｎ、Ｂｉ、Ｗ、Ｐｂおよびそれらの２種以上の合金の粒子からなる群から選択されるか、またはより好ましくは、前記導電性粒子が、Ｃｕ、Ａｇ、Ｎｉおよびそれらの合金の粒子から選択されるか、またはさらにより好ましくは、前記導電性粒子がＡｇ粒子である、［９］に記載のソーラーセルモジュール。
［１１］
前記接着剤組成物の全重量に基づき、前記導電性粒子の４０〜８５重量％または４５〜８３重量％が前記エラストマーマトリックスに分散される、［１］〜［８］のいずれか一項に記載のソーラーセルモジュール。
［１２］
前記少なくとも１種のソーラーセルが前面電極および背面電極を有し、かつ前記導電性接着剤を介して前記前面電極に接続される１種以上の前面配線部材、および前記導電性接着剤を介して前記背面電極に接続される１種以上の背面配線部材がある、［１］〜［８］のいずれか一項に記載のソーラーセルモジュール。
［１３］
前記少なくとも１種のソーラーセルがウエハをベースとするソーラーセルである、［１２］に記載のソーラーセルモジュール。
［１４］
前記少なくとも１種のソーラーセルが薄膜ソーラーセルである、［１２］に記載のソーラーセルモジュール。
【手続補正２】
【補正対象書類名】特許請求の範囲
【補正対象項目名】全文
【補正方法】変更
【補正の内容】
【特許請求の範囲】
【請求項１】
少なくとも１つのソーラーセルと、少なくとも１つの配線部材とを含んでなるソーラーセルモジュールであって、
（ｉ）前記少なくとも１つのソーラーセルが、少なくとも１つの表面電極を有し、かつ前記少なくとも１つの配線部材が、導電性接着剤を介して、前記少なくとも１つの表面電極に接続され；
（ｉｉ）前記導電性接着剤が、エラストマーマトリックスと、接着剤組成物に含まれる全成分の重量％が合計１００重量％となるように前記エラストマーマトリックスに分散された４０〜９０重量％の導電性粒子と、を含んでなる接着剤組成物から形成され；かつ
（ｉｉｉ）前記エラストマーマトリックスが、少なくとも１種のフルオロエラストマーを含んでなる、ソーラーセルモジュール。
【請求項２】
前記エラストマーマトリックスが、架橋剤によって架橋される少なくとも１種のフッ化ビニリデン含有フルオロエラストマーを含んでなる、請求項１に記載のソーラーセルモジュール。
【請求項３】
前記架橋剤が、ビスフェノール化合物、ジアミノ化合物、アミノフェノール化合物、アミノシロキサン化合物、アミノシラン、フェノールシラン、ペルオキシドおよびそれらの２種以上の組み合わせからなる群から選択される、請求項２に記載のソーラーセルモジュール。
【請求項４】
前記少なくとも１種のフッ化ビニリデン含有フルオロエラストマーが、フッ化ビニリデン／ヘキサフルオロプロピレンコポリマーである、請求項２に記載のソーラーセルモジュール。
【請求項５】
前記エラストマーマトリックスが、前記少なくとも１種のフルオロエラストマーと、少なくとも１種のエチレン／アルキル（メタ）アクリレートコポリマーエラストマーと、を含んでなり、前記少なくとも１種のフルオロエラストマーが、前記エラストマーマトリックスの全重量に基づき、６５重量％以上の濃度で存在する、請求項１に記載のソーラーセルモジュール。
【請求項６】
前記少なくとも１種のエチレン／アルキル（メタ）アクリレートコポリマーエラストマーが、エチレンの重合単位と、前記エチレン／アルキル（メタ）アクリレートコポリマーエラストマーの全重量に基づき、４０〜９０重量％、または好ましくは５０〜８０重量％、またはより好ましくは５０〜７５重量％の少なくとも１種のアルキル（メタ）アクリレートの重合単位と、を含んでなる、請求項５に記載のソーラーセルモジュール。
【請求項７】
前記導電性粒子が金属粒子および非金属粒子から選択される、請求項１〜６のいずれか一項に記載のソーラーセルモジュール。
【請求項８】
前記導電性粒子が金属粒子であるか、または好ましくは、前記導電性粒子が、Ａｕ、Ａｇ、Ｎｉ、Ｃｕ、Ａｌ、Ｓｎ、Ｚｎ、Ｔｉ、Ｓｎ、Ｂｉ、Ｗ、Ｐｂおよびそれらの２種以上の合金の粒子からなる群から選択されるか、またはより好ましくは、前記導電性粒子が、Ｃｕ、Ａｇ、Ｎｉおよびそれらの合金の粒子から選択されるか、またはさらにより好ましくは、前記導電性粒子がＡｇ粒子である、請求項７に記載のソーラーセルモジュール。